(57)【要約】【課題】本発明は、仕切り板を安定的に立ち上げて保持することが出来るブランクシート及び収容ボックスを提供する。【解決手段】ワンタッチ底により形成された底板部と、前記底板部の各辺から立ち上がって前記底板部を取り囲み物品を収容する内部空間Ｓを形成する複数の側板部２，３，４，５とを備え、前記底板部を構成する第１底板フラップ６の先端縁から立ち上げ可能で、内部空間Ｓを分ける仕切り板１０が前記先端縁に設けられている収容ボックスＸ１に関する。【選択図】図１
2020015549.tif 000002
【特許請求の範囲】
【請求項１】
ワンタッチ底により形成された底板部と、前記底板部の各辺から立ち上がって前記底板部を取り囲み物品を収容する内部空間を形成する複数の側板部とを備え、
前記底板部を構成する第１底板フラップの先端縁から立ち上げ可能で、前記内部空間を分けられる仕切り板が前記先端縁に設けられている収容ボックス。
【請求項２】
前記第１底板フラップの基端縁から第１側板部が立ち上がり、
前記第１側板部の上端縁には、製函時に前記第１底板フラップと同方向に折り曲げられて前記上端縁から前記仕切り板までの間を覆うとともに、物を挿入して保持する挿入口が形成されるホルダー板が設けられた請求項１に記載の収容ボックス。
【請求項３】
前記ホルダー板の先端縁には、前記仕切り板に接する位置で折り曲げられ、前記仕切り板に貼り合わされる接合板が設けられている請求項２に記載の収容ボックス。
【請求項４】
前記第１側板部に隣り合う第３側板部及び第４側板部の上端縁に前記内部空間を覆う天板フラップを備え、
前記２つの天板フラップはそれぞれ取手形成片を有し、
前記取手形成片は、製函時に前記仕切り板の表面に交差する方向に延びるように設けられている請求項２又は３に記載の収容ボックス。
【請求項５】
前記第１側板部に隣り合う第３側板部及び第４側板部の上端縁に前記内部空間を覆う天板フラップを備え、
前記２つの天板フラップはそれぞれ取手形成片を有し、
前記仕切り板は、前記取手形成片への被係止部を有している請求項２から４のいずれか一項に記載の収容ボックス。
【請求項６】
前記取手形成片の上端縁が、前記仕切り板から前記第１側板部に対向する第２側板部の方向に向かって、斜め上方に傾斜している請求項４又は５に記載の収容ボックス。
【請求項７】
前記仕切り板の上端縁に短フラップが形成されている請求項１から６のいずれか一項に記載の収容ボックス。
【請求項８】
前記接合板の上端縁に短フラップが形成されている請求項３又は請求項３を引用する請求項４から６のいずれか一項に記載の収容ボックス。
【請求項９】
前記挿入口を形成している端縁に前記ホルダー板から立ち上がる支持板が形成されている請求項２又は請求項２を引用する請求項３から８のいずれか一項に記載の収容ボックス。
【請求項１０】
第１底板フラップに対向して立ち上がる第２底板フラップの先端縁に、前記内部空間を分ける仕切り板が設けられ、
前記第２底板フラップの基端縁から第２側板部が立ち上がり、
前記第２側板部の上端縁には、製函時に前記第２底板フラップと同方向に折り曲げられて前記第２側板部の上端縁から前記仕切り板までの間を覆うとともに、物を挿入して保持する挿入口が形成されたホルダー板が設けられた請求項１から９のいずれか一項に記載の収容ボックス。
【請求項１１】
請求項１から１０のいずれか一項に記載の収容ボックスを形成するブランクシート。
【発明の詳細な説明】
【技術分野】
【０００１】
本発明は、収容ボックス及びそのブランクシートに関する。
【背景技術】
【０００２】
従来、ハンバーガーショップ等の飲食店からハンバーガー等の食料品とジュース等の飲料をテイクアウトする際に、飲料カップを良好に保持しつつ食料品と共に収納できるカップホルダー付収容ボックスが広く用いられている（例えば、下記特許文献１）。
【０００３】
特許文献１には、ワンタッチ底で筒体の中央に垂直に立ち上がる支持構造を備え、飲料カップを保持するためのフラップを有する収容ボックスが開示されている。このフラップは、略中央に飲料カップを囲む大きさの孔を形成した板部材であり、側板の先端に設けられて略水平に折り曲げ可能となっている。
【先行技術文献】
【特許文献】
【０００４】
【特許文献１】特表２００８−５２４０８３号公報
【発明の概要】
【発明が解決しようとする課題】
【０００５】
しかし、特許文献１で開示されている収容ボックスは、側板の先端からフラップが折り曲げられているだけであるので上下に搖動し易く、収容ボックスを運んでいる間に飲料カップが傾きやすいという問題があった。
そこで、本発明は、食料及び飲料を安定して持ち運ぶことができる収容ボックスを提供する。
【課題を解決するための手段】
【０００６】
本発明の収容ボックスは、ワンタッチ底により形成された底板部と、前記底板部の各辺から立ち上がって前記底板部を取り囲み物品を収容する内部空間を形成する複数の側板部とを備え、前記底板部を構成する第１底板フラップの先端縁から立ち上げ可能で、前記内部空間を分けられる仕切り板が前記先端縁に設けられている。
この構成によれば、内部空間を分ける仕切り板を容易に設置することができる。
【０００７】
本発明の収容ボックスは、前記第１底板フラップの基端縁から第１側板部が立ち上がり、前記第１側板部の上端縁には、製函時に前記第１底板フラップと同方向に折り曲げられて前記上端縁から前記仕切り板までの間を覆うとともに、物を挿入して保持する挿入口が形成されるホルダー板が設けられていてもよい。
この構成によれば、仕切り板により分けられた内部空間の一部を覆うホルダー板を容易に設置することができる。
【０００８】
本発明の収容ボックスの前記ホルダー板の先端縁には、前記仕切り板に接する位置で折り曲げられ、前記仕切り板に貼り合わされる接合板が設けられていてもよい。
この構成によれば、仕切り板を容易に立ち上げることができる。
【０００９】
本発明の収容ボックスの前記第１側板部に隣り合う第３側板部及び第４側板部の上端縁に、前記内部空間を覆う天板フラップを備え、前記２つの天板フラップはそれぞれ取手形成片を有し、前記取手形成片は、製函時に前記仕切り板の表面に交差する方向に延びるように設けられていてもよい。
この構成によれば、取手形成片により、物の加重に対して安定的に収容ボックスを保持することができる。
【００１０】
本発明の収容ボックスの前記第１側板部に隣り合う第３側板部及び第４側板部の上端縁に前記内部空間を覆う天板フラップを備え、前記２つの天板フラップはそれぞれ取手形成片を有し、前記仕切り板は、前記取手形成片への被係止部を有している。
この構成によれば、仕切り板を取手形成片によって安定的に立ち上げておくことができる。
【００１１】
本発明の収容ボックスの前記取手形成片の上端縁は、前記仕切り板から前記第１側板部に対向する第２側板部の方向に向かって、斜め上方に傾斜していてもよい。
この構成によれば、取手形成片により、内部空間において物の加重にばらつきがあっても収容ボックスを水平に保持し易い。
【００１２】
本発明の収容ボックスの前記仕切り板の上端縁には、短フラップが形成されていてもよい。
この構成によれば、天板フラップの内部空間への落ち込みを防止することができる。
【００１３】
本発明の収容ボックスの前記接合板の上端縁には、短フラップが形成されていてもよい。
この構成によれば、天板フラップの内部空間への落ち込みを防止することができる。
【００１４】
本発明の収容ボックスの前記挿入口を形成している端縁には、前記ホルダー板から立ち上がる支持板が形成されていてもよい。
この構成によれば、挿入口に挿入した物を倒れ難くすることができる。
【００１５】
本発明の収容ボックスの第１底板フラップに対向して立ち上がる第２底板フラップの先端縁に、前記内部空間を分ける仕切り板が設けられ、前記第２底板フラップの基端縁から第２側板部が立ち上がり、前記第２側板部の上端縁には、製函時に前記第２底板フラップと同方向に折り曲げられて前記第２側板部の上端縁から前記仕切り板までの間を覆うとともに、物を挿入して保持する挿入口が形成されたホルダー板が設けられていてもよい。
この構成によれば、ドリンクカップ等の物を保持する部分を多数形成することができる。
【００１６】
本発明のブランクシートは、前記いずれか一の収容ボックスを形成する。
この構成によれば、前記いずれかの作用を奏し得る。
【発明の効果】
【００１７】
本発明のブランクシート及び収容ボックスは、仕切り板を安定的に立ち上げて保持することが出来るという効果を奏する。
【図面の簡単な説明】
【００１８】
【図１】本発明の第１の実施形態に係る収容ボックスを示した斜視図である。
【図２】本発明の第１の実施形態に係るブランクシートを内表面から示した正面図である。
【図３】図２のブランクシートの第１底板フラップ、第１側板部、ホルダー板及び接合板を拡大した図である。
【図４】図１の収納ボックスを第３側板部及び第４側板部間で２等分し、ホルダー板側を示した一部断面図である。
【図５】本発明の第１の実施形態に係るブランクシートを折り畳んで形成した製函前ボックスを示した図である。
【図６】本発明の第２の実施形態に係るブランクシートを内表面から示した正面図である。
【図７】本発明の第２の実施形態に係る収容ボックスを第３側板部及び第４側板部間で２等分し、第４側板部の内側を正面視した断面図である。
【図８】本発明の第３の実施形態に係るブランクシートを内表面から示した正面図である。
【図９】本発明の第３の実施形態に係る収容ボックスを示した斜視図である。
【図１０】本発明の第３の実施形態に係る収容ボックスの変形例の一部を示した断面図である。
【図１１】本発明の第４の実施形態に係るブランクシートを内表面から示した正面図である。
【図１２】本発明の第４の実施形態に係る収容ボックスを示した斜視図である。
【発明を実施するための形態】
【００１９】
以下、図面を参照して、本発明の収容ボックス及びそのブランクシートの実施形態について説明する。なお、以下の説明で用いる図の各部分の寸法は実際のものと同一とは限らず、適宜変更することができる。
【００２０】
図１に示すように、本発明の第１の実施形態の収容ボックスＸ１は、収容ボックスＸ１の側面を形成する複数の側板部２−５と、ワンタッチ底を形成する底板部等とを有している。更に収容ボックスＸ１は、複数の側板部２−５及び底板部６等に取り囲まれて形成され、物品を収容する内部空間Ｓを分ける仕切り板１０と、内部空間Ｓの一方を覆い、物品を挿入し保持する挿入口１１が形成されたホルダー板１２とを有している。
【００２１】
図２に示すように、複数の側板部２−５は、互いに対向する第１側板部２及び第２側板部３並びに第３側板部４及び第４側板部５により構成されている。これら複数の側板部は、ブランクシート１ａの状態では、折り曲げ線となる側辺３ａ，２ａ，２ａを境として第２側板部３、第４側板部５、第１側板部２及び第３側板部４の順に連接している。
【００２２】
第１側板部２は、対向する２つの側辺２ａ，２ａとこれに直交する上端縁２ｂ及び下端縁２ｃとに囲まれた略矩形の上端縁２ｂに、上方に向かって突出する２つの支持板１３が形成された側壁である。
図１及び図３に示すように、支持板１３は上方に向かってすぼむ台形に形成されている。図３に示すように、第１側板部２の上端縁２ｂに沿う支持板１３の下底辺１３ｃには、第１側板部２に対して支持板１３を容易に折り曲げてしまう切込みや折り曲げ線等は形成されておらず、支持板１３が第１側板部２に対して倒れにくいようになっている。
【００２３】
第１側板部２には、下端縁２ｃの一部の直線１４ｂと円弧１４ａとにより囲まれた開口部１４が、下端縁２ｃに沿って間隔を空けて２つ形成されている。開口部１４は、ドリンクカップの下部の一部を突出可能で、図１に示すドリンクカップＤ等が第１側板部２の下部に接触するのを避けることができる逃げ孔になっている。
【００２４】
開口部１４を形成している円弧１４ａ上の２点Ｐ，Ｐと支持板１３の下底辺１３ｃの両端との間には、下底辺１３ｃの両端に向かって拡開しつつ延びるミシン目線Ｌ１，Ｌ１が直線状に形成されている。ミシン目線Ｌ１，Ｌ１同士の間には、開口部１４を形成している円弧上の２点Ｐ，Ｐの内側の点から支持板１３の上底辺１３ｂの略両端に向かって延びるミシン目線Ｌ２，Ｌ２が更に形成されている。これらのミシン目線Ｌ１，Ｌ２は、第１側板部２及び支持板１３をミシン目線Ｌ１，Ｌ２に沿って折り曲げることで撓みやすくしている。
【００２５】
第１側板部２の上端縁２ｂには、矩形の基板に、図１に示すようにこの基板を水平に折り曲げることでドリンクカップＤ等の挿入口１１が形成され、ドリンクカップＤ等を保持する枠となるホルダー板１２が設けられている。ホルダー板１２の先端縁１２ｂには、ホルダー板１２に対して折れ曲がって立ち上がり他の板部と接合する接合板２０が設けられている。
【００２６】
図３に示すように、ホルダー板１２には、支持板１３の下底辺１３ｃの両端から支持板１３を挟んで上方に拡開する２辺１６ｄ，１６ｄと２辺１６ｄ，１６ｄの先端同士の間を結ぶ円弧１６ｅと、支持板１３の下底辺１３ｃを除く輪郭１３ｆとにより囲まれた打ち抜き１６が各支持板１３の周囲に形成されている。
【００２７】
ホルダー板１２に打ち抜き１６が形成されていることにより、図１に示すようにホルダー板１２を第１側板部２の上端縁２ｂで略直角に折り曲げた際に、支持板１３が上端縁２ｂから立ち上がった状態となって挿入口１１を形成する構成となっている。
図２に示す打ち抜き１６は、挿入口１１にドリンクカップ等を挿入して保持することができる適宜の大きさに形成されている。
【００２８】
接合板２０は、ホルダー板１２の先端縁１２ｂで略垂直に折り曲げ可能に設けられている。
図２に示すように、接合板２０の先端縁２０ｂの幅方向中央には、先端縁２０ｂに直交する方向に延びるスリット孔２０ｈが形成されている。
【００２９】
第２側板部３は、第１側板部２の下端縁２ｃと同寸法の上端縁３ｂ及び下端縁３ｃと、第４側板部５と共有する側辺３ａ及び側縁３ｅとにより、略矩形に形成されている。
【００３０】
第３側板部４は、下端縁４ｃと、下端縁４ｃに平行な上端縁４ｂと、側辺２ａ，４ａと、上端縁４ｂと側辺２ａとの間を結ぶ傾斜辺４ｄに囲まれた５角形に形成されている。
傾斜辺４ｄは、上端縁４ｂと略交差している端部ｔから第１側板部２の上端縁２ｂの端部に向かって延びている。
【００３１】
上端縁４ｂは、側辺４ａからの長さが、下端縁４ｃに比べてホルダー板１２の側縁１２ａと略同寸法分短い。
即ち、図１に示すように、製函時に上端縁２ｂでホルダー板１２を内側に略直角に折り曲げた際に、ホルダー板１２の先端縁１２ｂは、上端縁４ｂの傾斜辺４ｄ側の端部ｔを通る垂直線Ｌ４に達する水平方向の位置までを覆い、端部ｔに向かって接合板２０が立ち上がる位置関係となっている。
【００３２】
図１及び図２に示すように、第３側板部４において、第１側板部２の上端縁２ｂを延長させた水平線Ｌ３と、傾斜辺４ｄと、上端縁４ｂの端部ｔから仮想線Ｌ３に向かって垂下させた垂直線Ｌ４とにより囲まれた三角部は、ホルダー板１２及び接合板２０の両端を挟み込む挟持部Ｋを構成している。
【００３３】
図２に示すように、側辺４ａには、第２側板部３と第３側板部４とを連結させて側面視略矩形の囲いを形成する接合代１５が連接している。
第４側板部５は、第１側板部２を間に挟んで、第３側板部４と対称な形状に形成されている。
【００３４】
底板部６−９は、第１側板部２−第４側板部５の各下端縁２ｃ−５ｃにそれぞれ連接する第１底板フラップ６−第４底板フラップ９を備え、ワンタッチ底組式（いわゆるワンタッチ底）を形成できる構成になっている。
第１底板フラップ６は、第１側板部２の下端縁２ｃに連接している。
第１底板フラップ６は、第１側板部２の下端縁２ｃを下底辺（基端縁）として共有し、下底辺２ｃに略平行な上底辺（先端縁）６ｂに向かって徐々にすぼむ略台形に形成されている。
【００３５】
図４に示すように、第１底板フラップ６は、製函時に、第１底板フラップ６の上底辺６ｂが、傾斜辺５ｄ（及び傾斜辺４ｄ）の上方の端部ｔの略直下であって、略平行に延びるホルダー板１２の先端縁１２ｂよりも僅かに中央側に位置するように形成されている。
【００３６】
図２に示すように、第１底板フラップ６には、上底辺６ｂを基端縁として共有する仕切り板１０が連接している。
仕切り板１０は、上底辺６ｂに対し屈曲して延びる傾斜辺１０ｄと、傾斜辺１０ｄの先端から側辺２ａの延長線に略沿って僅かに屈曲しつつ延びる第１側縁１０ｅと、上底辺６ｂに略平行に延びる先端縁１０ｂと、第１側縁１０ｅに対向し上底辺６ｂに向かって屈曲しつつ延びる第２側縁１０ｆとに囲まれ形成されている。
【００３７】
第１側縁１０ｅ及び第２側縁１０ｆは、全体としてそれぞれの略中央部分において外側（すなわち互いに離れる方向に）に僅かに張り出すように屈曲した辺を成している。第１側縁１０ｅの略中央部分は、仕切り板１０を立ち上げた際に第４側板部５に接触するように形成されている。
第２側縁１０ｆのほぼ中央部分は、仕切り板１０の立ち上げ時に第３側板部４に接触する接触直線部１０ｘを有している。
【００３８】
以上の構成により、仕切り板１０は、図４に示すように折り曲げられて第１底板フラップ６の上底辺６ｂで垂直に立ち上げられた際に、側面視で内部空間Ｓを傾斜辺４ｄ，５ｄの上方の端部ｔを略通る位置で区画している。内部空間Ｓのうち、仕切り板１０の外側（すなわち第１側板部２側）に接合板２０が重なり、仕切り板１０の第１側板部２側が、ホルダー板１２に覆われたホルダー部Ｓ１となっている。
【００３９】
図２に示すように、仕切り板１０の基端縁となっている上底辺６ｂから先端縁１０ｂまでの寸法（仕切り板１０の立ち上げ時の高さ寸法）は、第２側板部３の高さ寸法と略同寸法になるように形成されている。
仕切り板１０の先端縁１０ｂには、短フラップ２１が連接している。短フラップ２１には、幅方向の略中央に形成されたＶ字の切欠き２１ｖが形成されている。
【００４０】
第２底板フラップ７は、第２側板部３の下端縁３ｃに連接している。第２底板フラップ７は第４底板フラップ５と一部において接着可能な台形に形成されている。
【００４１】
第３底板フラップ８は、第３側板部４の下端縁４ｃを下底辺として共有し、下底辺４ｃに略平行な上底辺８ｂに向かって僅かにすぼむ略台形であって、上底辺８ｂ側の略中央部に台形の切り欠き８ｋを形成した形状となっている。
【００４２】
上底辺８ｂ側の切欠き８ｋは、下底辺４ｃに向かってすぼむ略台形形状となっている。具体的に切欠き８ｋは、下底辺４ｃに平行で下底辺４ｃ寄りの位置で延びる中心線２８ｂと、中心線２８ｂの両端と上底辺８ｂ，８ｂの内側の端部間との間で延びる傾斜側辺２８ａ，２８ａとにより形成されている。中心線２８ｂの一端と傾斜側辺２８ａ，２８ａとの間には段差２８ｄが形成されている。
【００４３】
第３底板フラップ８は、段差２８ｄが形成された側と反対側の中心線２８ｂの端部と第１側板部２側の下端縁２ｃの端部とを結んだ折り曲げ線Ｌ５を境として、ベース部２５と、第１底板フラップ６と接合して連動する連動接合部２６とに分けられている。
【００４４】
第４底板フラップ９は、第３底板フラップ８の形状を基本として、第３底板フラップ８のベース部２５の上底辺８ｂ側の仮想線で示した角部を略矩形に切り欠き、仕切り板１０との干渉を避ける逃げ２７を設けた形状をしている。第４底板フラップ９は、逃げ２７を形成した以外は、第３底板フラップ８と同様に形成されている。
【００４５】
第３底板フラップ８の連動接合部２６に相当する第４底板フラップ９の連動接合部２６は、隣接する第２底板フラップ７の一部と接合する構成となっている。
これらの複数の底板フラップ６，７，８，９は、第１側板部２から第４側板部５を立ち上がらせる動作に伴って立ち上がり、第１側板部２から第４側板部５に囲まれた底側を略隙間なく塞げるワンタッチ底を構成している。
【００４６】
第２側板部３の上端縁３ｂには短フラップ２２が連接している。
短フラップ２２は、先端縁２２ｂが緩やかに湾曲する形状で、幅方向中央部に上下方向に延びたスリット孔２２ｈが形成されている。
【００４７】
第３側板部４の上端縁４ｂ及び第４側板部５の上端縁５ｂには、上端縁４ｂ及び上端縁５ｂを矩形の幅方向の一辺とする第３天板フラップ３０及び第４天板フラップ３１がそれぞれ連接している。
第３天板フラップ３０及び第４天板フラップ３１は、同寸法に形成されている。
【００４８】
第３天板フラップ３０及び第４天板フラップ３１は、図１に示すように、製函時に互いに対向する第３側板部４の上端縁４ｂと第４側板部５の上端縁５ｂとの間を略半分ずつ覆って先端縁３０ｂ，３１ｂ同士を突き合わせ可能な大きさに形成されている。
この構成により、第３天板フラップ３０及び第４天板フラップ３１は、図１に示すように、仕切り板１０よりも第２側板部３側の収容部Ｓ２を覆う構成となっている。
【００４９】
図２に示すように、第３天板フラップ３０及び第４天板フラップ３１の先端縁３０ｂ，３１ｂには、略対称形状の第１取手形成片３２と第２取手形成片３３とが設けられている。
第１取手形成片３２は、全体として概略逆Ｕ字型をなし、先端縁３０ｂの延在方向の中央部分に把持部３７を、同方向両端部に短フラップ係止部３６，３６を備えている。第１取手形成片３２の内側には、手を通す取手孔３５が開口自在に形成されている。
【００５０】
把持部３７の外縁は、第１側板部２側から離間する方向に、上方に向かって傾斜する傾斜部３７ｔを有している。詳細には、把持部３７の外縁は、第１側板部２側の短フラップ係止部３６に近い端部において水平に延び、人の手が主として当たるフラップＦ１の上方付近において徐々に上方に傾斜し、その後円弧を描いて係止溝３８方向に下った形状をしている。
【００５１】
短フラップ係止部３６，３６と把持部３７との間は、短フラップ２２及び接合板２０をそれぞれのスリット孔２０ｈ，２２ｈの上部で係止させる係止溝３８となっている。
短フラップ係止部３６は、それぞれ接合板２０又は短フラップ２２に形成されたスリット孔２０ｈ，２２ｈを円滑に通過させ得る形状となっている。  
【００５２】
第１取手形成片３２の内側は、先端縁３０ｂの両端から所定の間隔を空けた２点ｙ１，ｙ２間の直線３５ｃと、２点ｙ１，ｙ２を始点及び終点とする略逆Ｕ字型の周縁３５ｂとに囲まれた取手孔３５が開口可能になっている。取手孔３５の両端部を除いた中央部の周縁３５ｂ側には、折り曲げて取手孔３５の全体を開口自在とするフラップＦ１が連接している。
【００５３】
第２取手形成片３３の内側の取手孔３５には、製函前に取手孔３５の全体を閉じられるフラップＦ２が設けられている。フラップＦ２は、第４天板フラップ３１側に連接している。このフラップＦ２の構成を除いて、第２取手形成片３３は、第１取手形成片３２と対称に形成されている。
第１取手形成片３２及び第２取手形成片３３は、第３天板フラップ３０及び第４天板フラップ３１の先端縁３０ｂ，３１ｂにおいて折り曲げ可能になっている。
【００５４】
次に、ブランクシート１ａを折り畳んで製函前の状態にする方法について説明する。
まず、第１底板フラップ６から第４底板フラップ９をそれぞれが連接している側板部の内面（すなわち図２で見えている面、以降の「内面」について同様）に対向するように折り曲げる。
仕切り板１０は、折り畳む等することなく第１底板フラップ６の上底辺６ｂの先に連接した状態のまま、ホルダー板１２の一部及び接合板２０の一部に重ねる。
【００５５】
この際、接合板２０の内面に、特に限定されないが例えば図２に示す位置３９，３９に接着剤を塗布しておき、仕切り板１０と接合板２０とをしっかりと接着する。
第３底板フラップ８及び第４底板フラップ９の連動接合部２６は、ベース部２５のそれぞれの外面に重なるように傾斜辺Ｌ５において折り曲げる。連動接合部２６の内面に予め接着剤を塗布しておく。
【００５６】
その後、第１側板部２及び第３側板部４間の側辺２ａにおいてブランクシート１ａを折り曲げ、第３側板部４を第１側板部２の内面及び第４側板部５の内面の一部に重ねる。次いで、第２側板部３及び第４側板部５の間の側辺３ａにおいてブランクシート１ａを折り曲げ、第２側板部３を第４側板部５の内面に重ねる。
なお、第２側板部３を折り畳む前に、予め接合代１５の外面に接着剤を塗布しておき、第２側板部３を第３側板部４の側辺４ａに設けられた接合代１５の外面上に重ねて接着する。
【００５７】
その結果、図５に示すように、第１側板部２から第４側板部５が図１に示す角筒を形成可能で偏平に折り畳まれた状態となる。また、内部の各底板フラップの詳細は省略するが、第１底板フラップ６から第４底板フラップ９が内側に折り畳まれた状態で、第１底板フラップ６から第４底板フラップ９、仕切り板１０、接合板２０及びホルダー板１２が互いに連動する状態となる。
以上により、図５に示すように、製函前ボックス１Ａが完成する。
【００５８】
製函前ボックス１Ａを立体の収容ボックスＸ１にするには、折り畳まれた状態の製函前ボックス１Ａの折り曲げ箇所となっている側辺２ａ，３ａ同士を近づける。そうすると、第１側板部２から第４側板部５が角筒状になり、この動作に伴って第１−第４底板フラップ６−９が起き上がって下端縁２ｃ−４ｃ側の開口部（すなわち底部）を隙間なく閉じる。
【００５９】
仕切り板１０は、第１底板フラップ６の広がりに伴って先端方向（即ち内部空間Ｓの内側）に延びようとするが、図１に示すように、接着している接合板２０及びホルダー板１２を介して角筒状に広がる第１側板部２に引っ張られ略垂直に立ち上がる。また、逆に、接合板２０が仕切り板１０と共に立ち上がった状態となるため、ホルダー板１２の先端縁１２ｂと第１側板部２の上端縁２ｂとの間にホルダー板１２が張られた状態となる。
【００６０】
なお、図２に示すように、仕切り板１０の第１側縁１０ｅ及び第２側縁１０ｆは屈曲しており、第１側縁１０ｅ及び第２側縁１０ｆが張り出した部分以外は、各底板フラップ、第３側板部４及び第４側板部５との間で僅かに隙間が形成されるようになっている。したがって、仕切り板１０が第１底板フラップ６から立ち上げられる際、仕切り板１０が側板部等との干渉を避けて円滑に立ち上がれるようになっている。
以上により、第３天板フラップ３０及び第４天板フラップ３１が開口した状態の収容ボックスＸ１が完成する。
【００６１】
そこで、開口した収容部Ｓ２に物品を適宜収容し、短フラップ２１を内側に折り曲げた上で第３天板フラップ３０及び第４天板フラップ３１によって収容部Ｓ２を閉じる。第１取手形成片３２と第２取手形成片３３とは互いに重ね合わせ、第１取手形成片３２のフラップＦ１を第２取手形成片３３の取手孔３５に押込み、先端縁３０ｂ、３１ｂで折り曲げて取手部４０を形成する。これにより、取手部４０が、第１側板部２及び第２側板部３間（すなわち仕切り板１０の表面に直交する）方向に延びた状態となる。
一方、ホルダー板１２の挿入口１１，１１には、ドリンクカップＤ等を挿入してホルダー板１２によって保持させる。
【００６２】
このように、本発明のブランクシート１ａは、ワンタッチ底及び接合板２０の所定の箇所に接着剤を塗布し折り畳むだけで、極めて簡単に収容ボックスＸ１を形成可能な製函前ボックス１Ａを作成することができるという効果を奏する。  
また、製函前ボックス１Ａの側辺２ａ，３ａを近接させる動作だけで、仕切り板１０が立ち上がって内部空間Ｓをホルダー部Ｓ１と収容部Ｓ２とに区画し、ホルダー部Ｓ１にホルダー板１２を設けた収容ボックスＸ１を容易に組み立てられるという効果を奏する。
【００６３】
また、収容ボックスＸ１は、仕切り板１０と接合板２０とが接着しているため、仕切り板１０を非常に安定的に立設させることができるという効果を奏する。更に、接合板２０のスリット孔２０ｈに短フラップ係止部３６を挿入するため、仕切り板１０が、下方は第１底板フラップ６、上方は取手部４０、水平方向は接合板２０、ホルダー板１２及び第１側板部２に固定される。したがって、収容ボックスＸ１は、特に仕切り板１０の立ち上がりが安定的に維持されるという効果を奏する。
【００６４】
また収容ボックスＸ１は、仕切り板１０の表面に交差する方向に取手部４０を備えているため、安定して持ち運びできるという効果を奏する。
【００６５】
また、収容ボックスＸ１は、短フラップ２１が第３天板フラップ３０及び第４天板フラップ３１の下で折り曲げられるため、第３天板フラップ３０及び第４天板フラップ３１が収容部Ｓ２に落ち込むのを防止することができるという効果を奏する。
【００６６】
また、収容ボックスＸ１は、取手部４０を形成する第１取手形成片３２及び第２取手形成片３３の外縁に、仕切り板１０から第２側板部３の方向に斜め上方に傾斜する傾斜部３７ｔを有している。したがって、収容ボックスＸ１は、ホルダー部Ｓ１に重いドリンクカップＤを入れることでホルダー部Ｓ１及び収容部Ｓ２間で荷重にばらつきが生じても、収容ボックスＸ１が傾いてしまうのを抑えて水平に持ち易くすることができるという効果を奏する。
【００６７】
また収容ボックスＸ１は、支持板１３を備えているため、高さがあるドリンクカップＤ等を挿入口１１に入れた場合に、ドリンクカップＤ等が倒れるのを防止することができるという効果を奏する。
【００６８】
次に、本発明の第２の実施形態について、図６及び図７を用いて説明する。本実施形態では、第１の実施形態のブランクシート１ａの各部に対応して概略同一の構成を有する部分については同一の符号を付してその説明を省略し、相違する構成を中心に説明する。
【００６９】
図６及び図７に示すように、本実施形態のブランクシート１ｂ及び収容ボックスＸ２は、ホルダー部Ｓ１が収容部Ｓ２の両脇に設けられている点でブランクシート１ａ及び収容ボックスＸ１と異なっている。
具体的に、図６に示すように、ブランクシート１ｂの第１側板部２、ホルダー板１２及び第１底板フラップ６は、ブランクシート１ａと同様に形成され、接合板２０のスリット孔２０ｈを含む上端部分及び仕切り板１０の寸法がブランクシート１ａと異なっている。
【００７０】
すなわち、ブランクシート１ｂの接合板２０は、スリット孔２０ｈを含む上端部が短フラップ２２ｘとして構成されている。したがって、ブランクシート１ｂの接合板２０は、ブランクシート１ａの接合板２０に比べて短フラップ２２ｘ分高さが小さくなっている。
また、ブランクシート１ｂの仕切り板１０は、ブランクシート１ａの仕切り板１０よりも先端縁１０ｂ及び上底辺６ｂ間の距離すなわち製函時の高さ寸法が小さく形成されている。
【００７１】
ブランクシート１ｂの第２側板部３及び第２底板フラップ７は、ブランクシート１ｂの第１側板部２及び第１底板フラップ６と同形状に形成されている点でブランクシート１ａと異なっている。更に、ブランクシート１ｂの第２側板部３及び第２底板フラップ７は、ブランクシート１ａと異なり、ブランクシート１ｂの第１側板部２に連接させたホルダー板１２、接合板２０及び仕切り板１０と同一のホルダー板１２、接合板２０及び仕切り板１０を有している。
【００７２】
また、ブランクシート１ｂの第３側板部４及び第３天板フラップ３０は、ブランクシート１ａの第３側板部４及び第３天板フラップ３０を上端縁４ｂの延在方向で略二等分した傾斜辺４ｄ側を左右対称にした形状になっている。
ブランクシート１ｂの第４側板部５及び第４天板フラップ３１も、ブランクシート１ａの第４側板部５及び第４天板フラップ３１を上端縁５ｂの延在方向で略二等分した傾斜辺５ｄ側を左右対称にした形状になっている。
【００７３】
また、第１取手形成片３２及び第２取手形成片３３の把持部３７は、第１の実施形態のブランクシート１ａが有する傾斜部３７ｔを有さず、水平な外縁を有している。
第３底板フラップ８及び第４底板フラップ９は、第３側板部４及び第４側板部５が水平方向に延びた分、ベース部２５が水平方向に引き延ばされた形状になっている。
【００７４】
以上の構成により、図７に示すように、収容ボックスＸ２は、収容部Ｓ２の両脇すなわち第１側板部２側及び第２側板部３側の双方にドリンクカップＤ等の容器を保持するホルダー部Ｓ１を設けた構成となっている。
【００７５】
以上のブランクシート１ｂ及び収容ボックスＸ２は、第１実施形態のブランクシート１ａ及び収容ボックスＸ１と同様の作用、機能及び効果を奏する上に、容器を収容ボックスＸ１よりもたくさん保持することが可能となるという効果を奏する。
なお、第２の実施形態においては、接合板２０及び仕切り板１０の高さを小さくした例を示したが、これらの寸法は収容ボックスＸ２全体の寸法に応じて適宜設定することが出来る。
【００７６】
次に、図８及び図９を用いて、本発明の第３の実施形態について説明する。本実施形態のブランクシート１ｃ及び収容ボックスＸ３及びについて、第１の実施形態のブランクシート１ａ及び収容ボックスＸ１と同一の構成については同一の符号を付してその説明を省略し、相違する点を中心に説明する。
本実施形態のブランクシート１ｃ及び収容ボックスＸ３は、天板フラップ及び短フラップを有さずトレイ型になっているという点で第１の実施形態のブランクシート１ａ及び収容ボックスＸ１と異なっている。
【００７７】
具体的に、ブランクシート１ｃ及び収容ボックスＸ３は、第２側板部３から第４側板部５に天板フラップ、短フラップ及び取手部を設けない構成となっている。
また、第２側板部３から第４側板部５の製函時の高さ寸法を第１側板部２よりも僅かに高くしつつ、ブランクシート１ａの第２側板部３から第４側板部５の高さよりも低く設定している。また、第２側板部３から第４側板部５の高さに合わせて仕切り板１０及び接合板２０の製函時の高さ寸法も小さくしている。
【００７８】
このようなブランクシート１ｃも、図９に示すように、天板フラップ及び取手部を形成しないという点を除いて、第１実施形態のブランクシート１ａ及び収容ボックスＸ１と同様に、容易に製函前ボックス（本実施形態については不図示）及び収容ボックスＸ３を形成することができる。
【００７９】
また、ブランクシート１ｃ及び収容ボックスＸ３は、第１の実施形態のブランクシート１ａ及び収容ボックスＸ１と同様の作用、機能及び効果を奏する。
なお、本実施形態では、第１の実施形態のブランクシート１ａ及び収容ボックスＸ１を応用した場合を例示したが、第２の実施形態の構成を応用して収容部Ｓ２の両脇にホルダー部Ｓ１を設けられるブランクシート１ｃ及びトレイ型の収容ボックスＸ３としてもよい。
【００８０】
また、第１の実施形態について、接合板２０は、製函前ボックス１Ａの状態で仕切り板１０に接着により貼り合わされていることが好ましいが、製函後に仕切り板１０を立ち上げ、これに接合板２０をユーザーが貼り合わせ、組み立てる構成であってもよい。また、仕切り板１０と接合板２０とは、分離しないように接合していれば、接着による貼り合わせ以外のどのような方法で貼り合わされていてもよい。
【００８１】
具体的には、例えば、仕切り板１０に差し込みスリットを、接合板２０に差し込み片をそれぞれ形成し、仕切り板１０の差し込みスリットに接合板２０の差し込み片を差し込んで組み立てる方法であってもよい。又は、第３の実施形態のようなトレイ型の場合には、図１０に示すように、接合板２０が、立ち上げられた仕切り板１０の両面を覆うように山形に折り曲げられ、接合板２０の先端に形成した差し込み片を底板フラップに形成したスリットに挿し込んで折り曲げ、仕切り板１０を組み立てる方法であってもよい。
【００８２】
また、収容ボックスＸ１，Ｘ２，Ｘ３の第１側板部２に設けたホルダー板１２及び接合板２０は、図１１及び図１２に示すように、必ずしも設けられていなくてもよい。この場合、仕切り板１０の上端部であって、取手部４０の端部に交差し得る部分に短フラップ係止部３６に係止させるスリット孔（被係止部）１０ｈを形成するとよい。この構成によれば、第１底板フラップ６から仕切り板１０を立ち上げた際に、短フラップ係止部３６をスリット孔１０ｈに挿通させて仕切り板１０の立ち上がりを良好に維持することができる。
【００８３】
このような収容ボックスＸ１，Ｘ２，Ｘ３の変形例は、内部空間Ｓを仕切り板１０によって区画できるとともに、第３天板フラップ３０及び第４天板フラップ３１に覆われない内部空間Ｓ１を自由に設定し易くすることができるという効果を奏する。また、内部空間Ｓ１に着脱自在な公知のホルダー板を嵌めることにより、事後的にドリンクカップ等のホルダーにすることもできるという効果を奏する。
【符号の説明】
【００８４】
１ａ，１ｂ，１ｃ  ブランクシート
２，３，４，５    複数の側板部
２    第１側板部
２ｃ  第１側板部の下端縁（第１底板フラップの基端縁）
３    第２側板部
４    第３側板部
５    第４側板部
６，７，８，９  底板部
６    第１底板フラップ
６ｂ  上底辺（先端縁）
７    第２底板フラップ
８    第３底板フラップ
９    第４底板フラップ
１０  仕切り板
１１  挿入口
１２  ホルダー板
１２ｂ  先端縁
１３  支持板
２０  接合板
２２ｘ  短フラップ
２１，２２  短フラップ
３０  第３天板フラップ
３１  第４天板フラップ
３２  第１取手形成片
３３  第２取手形成片
４０  取手部
Ｓ    内部空間
Ｓ１  ホルダー部（区画された一方の内部空間）
Ｓ２  収容部（区画された他方の内部空間）
【図１】
2020015549.tif 000003
【図２】
2020015549.tif 000004
【図３】
2020015549.tif 000005
【図４】
2020015549.tif 000006
【図５】
2020015549.tif 000007
【図６】
2020015549.tif 000008
【図７】
2020015549.tif 000009
【図８】
2020015549.tif 000010
【図９】
2020015549.tif 000011
【図１０】
2020015549.tif 000012
【図１１】
2020015549.tif 000013
【図１２】
2020015549.tif 000014